(57)【要約】【課題】  収納した除細動器を安全に管理でき、必要なときには直ぐに取り出すことができ、更に、周囲に緊急事態が発生したことを知らせることが可能な除細動器収納装置及び除細動器収納設備を提供する。【解決手段】  外部から内部に収納される除細動器１１を視認できる開口部１５を有する扉１３を備えた箱体１２と、開口部１５に装着される把手２６付きの透明のカバー部材２５と、カバー部材２５が開口部１５から取り出されたこと、及び扉１３が開いたことを検知するセンサー部と、箱体１２の上部にあって、センサー部が作動することによって、点灯するフラッシュライト３７と、センサー部の動作出力を外部に信号伝達する信号送信部とを有する。【選択図】        図１
0003106691.tif 000002
【実用新案登録請求の範囲】
【請求項１】
外部から内部に収納される除細動器を視認できる開口部を有する扉を備えた箱体と、
前記開口部に装着される把手付きの透明のカバー部材と、
前記カバー部材が前記開口部から取り出されたこと、及び前記扉が開いたことを検知するセンサー部と、
前記箱体の上部にあって、前記センサー部が作動することによって、点灯するフラッシュライトと、
前記センサー部の動作出力を外部に信号伝達する信号送信部とを有することを特徴とする除細動器収納装置。
【請求項２】
請求項１記載の除細動器収納装置において、前記センサー部の出力信号を検知して所定時間作動するブザーが、前記箱体の内部又は外部に設けられていることを特徴とする除細動器収納装置。
【請求項３】
請求項２記載の除細動器収納装置において、前記扉の開いたことを表示する第１の表示灯、及び前記カバー部材が取り外されたことを表示する第２の表示灯が設けられていることを特徴とする除細動器収納装置。
【請求項４】
請求項３記載の除細動器収納装置において、前記カバー部材は、薄く可撓性を有する材料で前記開口部の大きさよりも大きく形成され、前記扉の背面側に取付けられていることを特徴とする除細動器収納装置。
【請求項５】
（１）外部から内部に収納される除細動器を視認できる開口部を有する扉を備えた箱体と、前記開口部に装着される把手付きの透明のカバー部材と、前記カバー部材が前記開口部から取り出されたこと、及び前記扉が開いたことを検知するセンサー部と、前記箱体の上部にあって、前記センサー部が作動することによって、点灯するフラッシュライトと、前記センサー部の動作出力を外部に信号伝達する信号送信部とを有する１又は２以上の除細動器収納装置、
及び、（２）前記除細動器収納装置と接続され、前記除細動器収納装置の前記信号送信部から送信された信号を受信する信号受信部と、前記除細動器収納装置からの信号の受信によって作動するアラームとを有する受信装置を備えていることを特徴とする除細動器収納設備。
【考案の詳細な説明】
【技術分野】
【０００１】
本考案は、除細動器を収納し、除細動器の取り出しを周囲に知らせる除細動器収納装置及び除細動器収納設備に関する。
【背景技術】
【０００２】
心室細動は、例えば、心筋梗塞、冠不全、又は諸種の薬物中毒等に伴って起こり、心室が整合的な収縮を行わず、その各部の筋肉が無秩序に収縮する状態であり、その頻度が毎分３００〜６００回に及び、数分間継続すると死に至る。そこで、アメリカ心臓協会（American Heart Association、ＡＨＡ）のガイドラインでは、「病院内において心配停止から３分以内の除細動の施行」が推奨されている。
【０００３】
ここで、心室細動によって突然の心肺停止を起こした患者に対して、心臓に強い電気的刺激を与える機器として、例えば、自動体外式除細動器（automated external defibrillator、ＡＥＤ。以下、単に除細動器ともいう）が開発されている（例えば、特許文献１参照）。心肺停止した患者に対し除細動器によって心肺蘇生を行った後、迅速に二次救命処理（Advanced Cardiovascular Life Support、ＡＣＬＳ）につなげ患者の命を救うことができる。
【０００４】
【特許文献１】特開２０００−１３５２９４号公報
【考案の開示】
【考案が解決しようとする課題】
【０００５】
しかしながら、日本において、除細動器は、例えば、医師、看護師、及び救急救命士等（以下、管理者ともいう）の管理下で使用でき、更に除細動器は箱等の中に保管されている。したがって、緊急の場合には、除細動器を探したり、箱から出すのに手間取るという問題があった。なお、除細動器を人目に付くところに配置した場合には、管理者に無断で使用可能であり、その管理に問題が起こる。また、除細動を行うに当たって、作業者（例えば、医師）がその場所に複数人居るとは限らず、補助をする人を呼ぶという手間がかかり、処置に時間がかかるという問題もあった。
【０００６】
本考案はかかる事情に鑑みてなされたもので、収納した除細動器を安全に管理でき、必要なときには直ぐに取り出すことができ、更に、周囲に緊急事態が発生したことを知らせることが可能な除細動器収納装置及び除細動器収納設備を提供することを目的とする。
【課題を解決するための手段】
【０００７】
前記目的に沿う請求項１記載の除細動器収納装置は、外部から内部に収納される除細動器を視認できる開口部を有する扉を備えた箱体と、
前記開口部に装着される把手付きの透明のカバー部材と、
前記カバー部材が前記開口部から取り出されたこと、及び前記扉が開いたことを検知するセンサー部と、
前記箱体の上部にあって、前記センサー部が作動することによって、点灯するフラッシュライトと、
前記センサー部の動作出力を外部に信号伝達する信号送信部とを有する。
【０００８】
センサー部としては、近接センサー、例えば、磁石を備えたマグネット部とリレースイッチ（リードスイッチともいう）を備えたスイッチ部とを有する磁気作動型リレー（マグネットスイッチ）が使用でき、扉と箱体本体とにマグネット部とスイッチ部とをそれぞれ所定距離以内で対向配置するように、そして、カバー部材と扉とにマグネット部とスイッチ部とをそれぞれ所定距離以内で対向配置するように取付けることができる。また、センサー部の動作出力は、信号送信部から外部、例えば、緊急外来、医局、又は看護師詰所の医療スタッフ（例えば、医師、救急救命士、又は看護師等）が居る場所に信号伝達され、除細動器が取り出し可能な状態（つまり、除細動器が使用されようとしている状態）になっていることを知ることができる。
【０００９】
請求項２記載の除細動器収納装置は、請求項１記載の除細動器収納装置において、前記センサー部の出力信号を検知して所定時間作動するブザーが、前記箱体の内部又は外部に設けられている。
請求項３記載の除細動器収納装置は、請求項２記載の除細動器収納装置において、前記扉の開いたことを表示する第１の表示灯、及び前記カバー部材が取り外されたことを表示する第２の表示灯が設けられている。
【００１０】
請求項４記載の除細動器収納装置は、請求項３記載の除細動器収納装置において、前記カバー部材は、薄く可撓性を有する材料で前記開口部の大きさよりも大きく形成され、前記扉の背面側に取付けられている。
カバー部材は、可撓性を有する材料として、例えば、アクリル、塩化ビニル、又はポリスチレン等を使用でき、その厚みは、例えば、０．１〜２ｍｍとするのが好ましい。これにより、カバー部材の大きさよりも小さい開口部からカバー部材を屈曲させて取り出すことができる。
【００１１】
前記目的に沿う請求項５記載の除細動器収納設備は、（１）外部から内部に収納される除細動器を視認できる開口部を有する扉を備えた箱体と、前記開口部に装着される把手付きの透明のカバー部材と、前記カバー部材が前記開口部から取り出されたこと、及び前記扉が開いたことを検知するセンサー部と、前記箱体の上部にあって、前記センサー部が作動することによって、点灯するフラッシュライトと、前記センサー部の動作出力を外部に信号伝達する信号送信部とを有する１又は２以上の除細動器収納装置、
及び、（２）前記除細動器収納装置と接続され、前記除細動器収納装置の前記信号送信部から送信された信号を受信する信号受信部と、前記除細動器収納装置からの信号の受信によって作動するアラームとを有する受信装置を備えている。
【００１２】
除細動器収納装置は、人目に付く場所、例えば、病院内の通路等に配置し、受信装置は、緊急外来、医局、又は看護師詰所等の医療スタッフが居る場所に設置するのがよい。除細動器収納装置と受信装置との接続において、無線での接続では除細動器が誤作動する恐れがあるので有線での接続が好ましい。また、有線での接続では、患者がペースメーカ等の電子機器を使用している場合にも誤作動する恐れがなくなるので好ましい。
【００１３】
受信装置に複数の除細動器収納装置が接続されている場合は、受信装置に、受信装置に信号を送信した除細動器収納装置の個体情報（例えば、除細動器収納装置の個体番号、又は設置場所等）を表示する表示部を設けることが好ましい。また、除細動器収納装置を配置している場所の近辺を映し出す監視カメラを設置し、信号を送信した除細動器収納装置と監視カメラとを連動させて、その場の状況を映し出せるようにしてもよく、この場合には患者の状態がより的確に把握できる。更に、受信装置には、除細動器収納装置から送信された信号を記憶するメモリを設けて除細動器の使用頻度を確認するようにしてもよい。
【考案の効果】
【００１４】
請求項１〜４記載の除細動器収納装置及び請求項５記載の除細動器収納設備は、箱体の開口部に透明のカバー部材が装着されるので除細動器を視認でき、カバー部材には把手が設けられているので、必要なときには除細動器を直ぐに取り出すことができる。また、センサー部が作動することによってフラッシュライトが点灯するので、周囲に緊急事態（急患）が発生したことを知らせることができ、緊急時の迅速で確実な対応を可能とすると共に、除細動器の無断使用を防ぎ、安全に管理することができる。
【００１５】
特に、請求項２記載の除細動器収納装置は、センサー部の出力信号を検知して所定時間作動するブザーが、箱体の内部又は外部に設けられているので、周囲に緊急事態が発生したことを知らせることができる。また、ブザーは所定時間しか作動しないので、騒音の問題がない。
請求項３記載の除細動器収納装置は、扉の開いたことを表示する第１の表示灯、及びカバー部材が取り外されたことを表示する第２の表示灯が設けられているので、扉及びカバー部材の状態を正確に把握できる。
【００１６】
請求項４記載の除細動器収納装置は、カバー部材が、薄く可撓性を有する材料で形成されているので、カバー部材が壊れ難くなっている。また、開口部の大きさよりも大きく形成され、扉の背面側に取付けられているているので、カバー部材を強く引かないと扉から取り外すことができず、除細動器の無断使用を防ぐことができる。
【００１７】
請求項５記載の除細動器収納設備は、１又は２以上の除細動器収納装置に接続された受信装置が、センサー部の動作出力を受信して作動するアラームを有するので、除細動器収納装置の作動状況が確認でき、処置を行う医療スタッフを現場に急行させることができる。
【考案を実施するための最良の形態】
【００１８】
続いて、添付した図面を参照しつつ、本考案を具体化した実施の形態につき説明し、本考案の理解に供する。
ここで、図１及び図２はそれぞれ本考案の一実施の形態に係る除細動器収納装置の正面図、側面図、図３は同除細動器収納装置の扉の背面図、図４（Ａ）、（Ｂ）はそれぞれ同除細動器収納装置のカバー部材の取付部材の説明図、図５は本考案の一実施の形態に係る除細動器収納設備の説明図である。
【００１９】
図１〜図３に示すように、本考案の一実施の形態に係る除細動器収納装置１０は、突然の心肺停止を起こした患者に対して、例えば、心臓に強い電気的刺激を与える除細動器１１を収納する装置である。除細動器収納装置１０は、例えば、ステンレスの板材で形成された箱体１２を有し、箱体１２は、扉１３と箱体本体１４を備えている。扉１３の中央部には、内部に収納される除細動器１１を外部から視認でき、しかも、除細動器１１を出し入れ可能な大きさに形成された開口部１５が設けられている。
【００２０】
また、箱体本体１４には、その背面部１６と、例えば、３〜１０ｍｍの隙間を有して垂直板１７が図示しないボルトによって取付けられ、その隙間には図示しない配線を通すことができるようになっている。垂直板１７の下部には、図示しないボルトによって、箱体本体１４の底部１８と、例えば、５０〜１５０ｍｍの隙間を有して水平板１９が配置され、水平板１９の上部に除細動器１１を載置することができるようになっている。
【００２１】
扉１３及び箱体本体１４の一方の側壁部２０内側には、その上部及び下部にそれぞれ蝶番２１、２２が取付けられて、扉１３が開閉可能となっている。また、扉１３及び箱体本体１４の他方の側壁部２３には、扉１３及び箱体本体１４をロックする図示しない鍵付きのパチン錠（例えば、タキゲン製造株式会社製の鍵付角型パチン錠Ｃ−８５）２４が取付けられ、通常、扉１３は開くことができなくなっている。ここで、パチン錠とは、Ｕ字状のフックを引っ掛けてパチンと閉める錠前のことであり、例えば、特公平６−５２３１７号公報、特開平１１−１３３２６号公報、特開２０００−８７６２９号公報、及び特開２００１−２４１２５０号公報等に記載されている。
【００２２】
除細動器収納装置１０には、扉１３の開口部１５の背面側に装着され、開口部１５よりも高さ及び幅の長さが大きい透明なカバー部材の一例であるアクリル製板２５を備えている。アクリル製板２５は、可撓性を有するアクリル製の板材で形成されており、その厚みは、例えば、０．１〜２ｍｍ程度に形成され、撓んで変形することができる。また、アクリル製板２５は、正面側の中央部に把手２６が設けられている。アクリル製板２５が、薄く形成され、可撓性を有しているので、把手２６を強く引いてアクリル製板２５を変形させることにより、扉１３の開口部１５から取り外すことができる。
【００２３】
図３に示すように、扉１３の背面側には、開口部１５の上側中央及び両側上部に、アクリル製板２５を開口部１５に取付ける第１の取付部材４１〜４３がそれぞれ設けられている。図４（Ａ）に示すように、第１の取付部材４１〜４３は、扉１３の背面に取付けられ、中空となったガイド部４４と、ガイド部４４の内部で実質的にアクリル製板２５の厚みと同じ隙間を有して配置され、スライドしてアクリル製板２５を押さえ付けて固定する金属製の押さえ部４５を有している。押さえ部４５の両端部は折り曲げられてストッパ４６が形成されている。ストッパ４６によって、押さえ部４５がガイド部４４から抜け落ちることがなく、また、押さえ部４５をスライドさせることができる。
【００２４】
また、図３及び図４（Ｂ）に示すように、扉１３の背面側には、開口部１５の下側中央及び両側下部に、実質的にアクリル製板２５の厚みと同じ隙間を有するように金属板を折り曲げて形成した第２の取付部材４７〜４９がそれぞれ扉１３に固定されている。第２の取付部材４７〜４９と扉１３との隙間にアクリル製板２５を挿入して、アクリル製板２５を扉１３の開口部１５の背面側に取付けると共に、取付部材４７によってアクリル製板２５が落下しないようになっている。
また、アクリル製板２５の正面中央には、「取り外すとブザーが鳴り、医療スタッフが集合します。病院関係者以外は、触れないで下さい」との図示しない注意書きがなされ、アクリル製板２５が無断で取り外されるのを防止している。
【００２５】
アクリル製板２５の背面側の下部及び扉１３には、それぞれ磁石を有するマグネット部２７、リレースイッチを有するスイッチ部２８が、アクリル製板２５を開口部１５に取付けた状態で所定間隔の隙間、例えば、５ｍｍ以下を有して対向配置するように取付けられている。ここで、マグネット部２７及びスイッチ部２８によって、磁気作動型リレー２９が構成されている。スイッチ部２８は、アクリル製板２５が開口部１５から取り外されたかどうかを検知する脱着スイッチ３０に図示しないリード線を介して接続され、磁気作動型リレー２９及び脱着スイッチ３０によってアクリル製板２５用のセンサー部が構成されている。脱着スイッチ３０は、底部１８と水平板１９との隙間の垂直板１７に取付けられている。
【００２６】
ここで、磁気作動型リレー２９のマグネット部２７とスイッチ部２８とが所定距離で配置されている、すなわち、アクリル製板２５が開口部１５に取付けられている場合には、脱着スイッチ３０がオフとなって、マグネット部２７とスイッチ部２８とが離れている、すなわち、アクリル製板２５が開口部１５から取り外されている場合には、脱着スイッチ３０がオンとなる。また、アクリル製板２５が取り外されている際に点灯する図示しないＬＥＤを有する第２の表示灯３１が扉１３の正面側に設けられている。
【００２７】
また、扉１３の背面側のパチン錠２４の設置される側（扉１３が開く側）と、箱体本体１４の対応位置には、それぞれマグネット部３２、スイッチ部３３が所定間隔の隙間、例えば、５ｍｍ以下を有して対向配置して取付けられ、マグネット部３２及びスイッチ部３３によって、磁気作動型リレー３４が構成されている。スイッチ部３３は、箱体本体１４に設けられた図示しない取付板を介して取付けられている。また、スイッチ部３３は扉１３の開閉を検知する開閉スイッチ３５に図示しないリード線を介して接続され、磁気作動型リレー３４及び開閉スイッチ３５によって扉１３用のセンサー部が構成されている。開閉スイッチ３５は、底部１８と水平板１９との隙間の垂直板１７に取付けられている。
【００２８】
ここで、磁気作動型リレー３４のマグネット部３２とスイッチ部３３とが所定距離で配置されている、すなわち、すなわち、扉１３が閉まっている場合には、開閉スイッチ３５がオフとなって、マグネット部３２とスイッチ部３３とが離れている、すなわち、扉１３が開いている場合には、開閉スイッチ３５がオンとなる。また、扉１３が開いている際に点灯する図示しないＬＥＤを有する第１の表示灯３６が扉１３の正面側に設けられている。
【００２９】
更に、除細動器収納装置１０には、アクリル製板２５用又は扉１３用のセンサー部が作動する、すなわち、脱着スイッチ３０及び開閉スイッチ３５のいずれか一方又は双方のオンによって、点灯するフラッシュライト３７、及び所定時間作動するブザー３８が箱体本体１４の天板部３９の上部に取付けられている。また、除細動器収納装置１０は、アクリル製板２５用及び扉１３用のセンサー部の動作出力を外部に信号伝達する図示しない信号送信部が設けられている。
【００３０】
また、脱着スイッチ３０及び開閉スイッチ３５の作動を停止させるキー式スイッチ４０が扉１３の正面側に設けられている。キー式スイッチ４０によって、除細動器１１及び除細動器収納装置１０のメンテナンスを行う際にアクリル製板２５の取り外し、及び、扉１３の開放しても、フラッシュライト３７及びブザー３８の作動を停止することができ作業がし易くなる。なお、扉１３が開いている場合及びアクリル製板２５が取り外されている場合には、第１及び第２の表示灯３６、３１がそれぞれ点灯するので、扉１３を閉め忘れていないか、アクリル製板２５が正確に設置されているかの確認ができる。このスイッチ４０はキー式であるので、作業にはキーが必要となり誤作動を防止することができる。
【００３１】
また、脱着スイッチ３０、開閉スイッチ３５、第１及び第２の表示灯３６、３１、フラッシュライト３７、及びブザー３８に電気を供給する図示しない電源が設けられている。なお、この電源は、除細動器収納装置１０が非常時でも作動できるように非常用の電源から供給されている。なお、電源は、非常時のみ非常用の電源に切り替えて電気を供給してもよいが、切り替わりに時間がかかる場合がある。
【００３２】
次に、図５を参照して、本考案の一実施の形態に係る除細動器収納設備５０について説明する。
除細動器収納設備５０は、複数、例えば５つの除細動器収納装置１０、１０Ａ、１０Ｂ、１０Ｃ、１０Ｄ（以下、総称して除細動器収納装置群５１ともいう）を備え、それぞれ内科外来の医局、外科外来の医局、心臓外科外来の医局、脳外科外来の医局、及び入院病棟の人目に付く通路に設置されている。なお、除細動器収納装置１０Ａ、１０Ｂ、１０Ｃ、１０Ｄは、前記実施の形態の除細動器収納装置１０と実質的に同じ構造となっている。
【００３３】
また、除細動器収納設備５０は、除細動器収納装置１０、１０Ａ、１０Ｂ、１０Ｃ、１０Ｄのそれぞれの信号送信部とそれぞれ一対一で接続される図示しない信号受信部を備えた受信装置５２を有している。受信装置５２は、例えば、救急外来に設けられ、除細動器収納装置群５１の常時監視を行っている。また、受信装置５２には、除細動器収納装置群５１から送信された信号を受信して、点灯する図示しない表示灯、及び所定時間作動する図示しないアラームが設けられ、救急外来の医療スタッフに緊急事態を知らせることができる。
【００３４】
更に、受信装置５２には、除細動器収納装置群５２のいずれの除細動器収納装置が作動したかを表示するモニタ５３が設けられ、医療スタッフが現場に急行できるようになっている。ここで、モニタ５３には、除細動器収納装置１０、１０Ａ、１０Ｂ、１０Ｃ、１０Ｄが設置されている場所、すなわち、「内科外来」、「外科外来」、「心臓外科外来」、「脳外科外来」、及び「入院病棟」の文字が表示される。また、モニタ５３には、それぞれの場所を意味するＬＥＤを点灯させてもよい。
【００３５】
また、除細動器収納装置群５１のそれぞれの設置場所には、その近辺を映し出す図示しない監視カメラが設置され、信号を送信した除細動器収納装置の近辺の状況を緊急外来に設けられた図示しないモニタに映し出せるようにしている。これによって、患者の状態がより的確に把握でき、患者への二次救命処置をスムーズに行うことができる。更に、受信装置５２には、除細動器収納装置１０、１０Ａ、１０Ｂ、１０Ｃ、１０Ｄから送信された信号を記憶する図示しないメモリが設けられ、それぞれに収納された除細動器１１の使用頻度を確認できるようになっている。また、受信装置５２は、非常用の電源から電気が供給されている。
【００３６】
次に、図１〜図５を参照して、除細動器収納装置１０を有する除細動器収納設備５０の使用方法について説明する。
（通常時）
内科外来の通路に設置されている除細動器収納装置１０は、扉１３が閉じられ、アクリル製板２５が開口部１５に取付部材４１〜４３及び取付部材４７〜４９によって取付けられた状態で内部に除細動器１１が収納されている。この際には、第１及び第２の表示灯３６、３１、及びフラッシュライト３７、及びブザー３８はオフとなっている。また、受信装置５２の表示灯、アラーム、及びモニタ５３もオフとなっている。
【００３７】
（緊急時）
ここで、例えば、内科外来付近で心室細動によって突然の心肺停止を起こした患者がいる場合、医療スタッフは、除細動器収納装置１０の扉１３の開口部１５に取付けられているアクリル製板２５の把手２６を引き、アクリル製板２５を変形させながら、開口部１５から取り外し、開口部１５から除細動器１１を取り出して、心肺停止した患者に対し除細動器１１を用いて心肺蘇生を行う。
【００３８】
アクリル製板２５を取り外すと、磁気作動型リレー２９のマグネット部２７とスイッチ部２８とが離れて脱着スイッチ３０がオンとなり、フラッシュライト３７が点灯すると共に、第２の表示灯３１も点灯する。また、ブザー３８が所定時間、例えば３０秒間鳴り続けて、その周囲の人、特に他の医療スタッフに緊急事態が発生したことを知らせることができる。ブザー３８は、所定時間しか鳴らないので、騒音の問題が起こらないようになっている。更に、除細動器収納装置１０は、脱着スイッチ３０からの動作出力を信号送信部から、受信装置５２の信号受信部に送信する。
【００３９】
脱着スイッチ３０からの動作出力を信号受信部で受信した受信装置５２は、表示灯が点灯し、アラームが所定時間作動する。なお、アラームの作動時間は、例えば、１〜５００秒間で設定可能となっている。更に、受信装置５２のモニタ５３には、除細動器収納装置１０を示す「内科外来」が表示される。これによって、救急外来の医療スタッフは、患者が内科外来の医局付近にいることが分かり、現場に急行することができる。これによって、時間のロスがなくなり、患者の蘇生率が向上する。
【００４０】
また、救急外来では、監視カメラによって映し出された内科外来の医局の近辺の映像をモニタで見ることにより、患者の状態がより的確に把握でき、患者への二次救命処置について予め準備できる。更に、受信装置５２には、除細動器収納装置１０から送信された信号をメモリに記憶し、除細動器１１の使用頻度を確認し、除細動器１１のメンテナンス等を行うときのデータが取れるようになっている。
【００４１】
（処置の終了）
除細動器収納装置１０のキー式スイッチ４０にキーを差し込みフラッシュライト３７の作動を停止させる。また、ブザー３８が作動している場合には、ブザー３８の作動も停止する。次に、鍵でパチン錠２４を解錠しフックを外して扉１３を開く。この場合には、キー式スイッチ４０にキーが差し込まれているので、フラッシュライト３７及びブザー３８が作動することがない。除細動器１１を除細動器収納装置１０に収納すると共に、アクリル製板２５を開口部１５に取付ける。この際には、まず、アクリル製板２５を開口部１５の両側下部の取付部材４８、４９と扉１３との隙間に差し込んで取付部材４７まで挿入する。次に、取付部材４１〜４３の押さえ部４５を内側方向へスライドさせて、アクリル製板２５を扉１３の背面側に固定する。アクリル製板２５の固定によって第２の表示灯３１が消灯するので、アクリル製板２５が開口部１５に取付けられていることが確認できる。
【００４２】
アクリル製板２５を取付部材４１〜４３及び取付部材４７〜４９で取付けた後、扉１３を閉め、パチン錠２４に鍵をかけ、キー式スイッチ４０からキーを取り除いて操作を完了する。この際には、第１の表示灯３６が消灯するので、扉１３が閉まっていることが確認できる。一方、受信装置５２は、キー式スイッチ４０へのキーの差し込みによって、モニタ５３及び表示灯の作動は停止する。また、アラームが作動している場合には、その作動も停止する。
【００４３】
（メンテナンス時）
除細動器収納装置１０のキー式スイッチ４０にキーを差し込み、フラッシュライト３７及びブザー３８の作動を停止させる。パチン錠２４を鍵で解錠し、パチン錠２４のフックを外して扉１３を開く。この場合には、第１の表示灯３６は点灯する。除細動器１１のメンテナンスが終了した際には、除細動器１１を除細動器収納装置１０に収納すると共に、アクリル製板２５を開口部１５に取付けて、扉１３を閉め、パチン錠２４及び鍵を閉じ、キー式スイッチ４０からキーを取り除いて操作を完了する。この際には、第１の表示灯３６が消灯していることを確認する。
【００４４】
このように、キー式スイッチ４０にキーを差し込まなければ、フラッシュライト３７及びブザー３８が作動するので、アクリル製板２５を開口部１５から取り除く、また、扉１３を開く操作を無断で行うことができなくなる。キー式スイッチ４０は、作業にはキーが必要となり誤作動を防止することができる。
【００４５】
本考案は、前記した実施の形態に限定されるものではなく、本考案の要旨を変更しない範囲での変更は可能であり、例えば、前記したそれぞれの実施の形態や変形例の一部又は全部を組み合わせて本考案の除細動器収納装置及び除細動器収納設備を構成する場合も本考案の権利範囲に含まれる。
【００４６】
例えば、前記実施の形態の除細動器収納装置において、カバー部材を扉の開口部よりも大きく形成したが、実質的に同じ大きさに形成して、カバー部材を扉の開口部にはめ込んで取付けてもよい。この場合には、カバー部材の厚みを厚く形成して、開口部から簡単に外れることがないようにする。また、ブザーを箱体本体の天板部の上部に取付けたが、箱体内部に設けてもよい。
【００４７】
除細動器収納装置及び受信装置は、外部からの非常用の電源により駆動させたが、普段は通常の電源で作動させ停電等に非常用の電源に切り替えてもよく、また、除細動器収納装置内に例えば、乾電池、充電池等の電池を内蔵させて駆動させてもよい。電池を使用する場合には、駆動用の電源の残量を示す表示灯等を設けるのが好ましい。除細動器収納装置は、センサー部の出力信号を検知してブザーが作動するが、ブザーの代わりに、緊急事態発生の音声等を流すようにしてもよい。
【図面の簡単な説明】
【００４８】
【図１】本考案の一実施の形態に係る除細動器収納装置の正面図である。
【図２】同除細動器収納装置の側面図である。
【図３】同除細動器収納装置の扉の背面図である。
【図４】（Ａ）、（Ｂ）はそれぞれ同除細動器収納装置のカバー部材の取付部材の説明図である。
【図５】本考案の一実施の形態に係る除細動器収納設備の説明図である。
【符号の説明】
【００４９】
１０、１０Ａ、１０Ｂ、１０Ｃ、１０Ｄ：除細動器収納装置、１１：除細動器、１２：箱体、１３：扉、１４：箱体本体、１５：開口部、１６：背面部、１７：垂直板、１８：底部、１９：水平板、２０：側壁部、２１、２２：蝶番、２３：側壁部、２４：パチン錠、２５：アクリル製板、２６：把手、２７：マグネット部、２８：スイッチ部、２９：磁気作動型リレー、３０：脱着スイッチ、３１：第２の表示灯、３２：マグネット部、３３：スイッチ部、３４：磁気作動型リレー、３５：開閉スイッチ、３６：第１の表示灯、３７：フラッシュライト、３８：ブザー、３９：天板部、４０：キー式スイッチ、４１〜４３：取付部材、４４：ガイド部、４５：押さえ部、４６：ストッパ、４７〜４９：取付部材、５０：除細動器収納設備、５１：除細動器収納装置群、５２：受信装置、５３：モニタ
【図１】
0003106691.tif 000003
【図２】
0003106691.tif 000004
【図３】
0003106691.tif 000005
【図４】
0003106691.tif 000006
【図５】
0003106691.tif 000007